(57)【特許請求の範囲】
【請求項１】
マイクロフォンと第１のＰＴＴスイッチと、キー操作に基づき制御信号を生成する第１の操作キーとを備えた外部マイクロフォンと、
第２のＰＴＴスイッチと、キー操作に基づき制御信号を生成する第２の操作キーと、送信中における前記第1又は第２の操作キーのキー操作に基づきＤＴＭＦ信号を送出するDＴＭＦ信号生成手段と、前記マイクロフォンからの音声信号の送出を禁止するマイクロフォン信号ミュートスイッチと、それらを制御するマイクロコンピュータとを備え、前記外部マイクロフォンを電気的に接続するように構成した無線通信機本体とから成る無線通信機において、
前記外部マイクロフォン側の第１のＰＴＴスイッチからの入力信号と前記無線通信機本体側の第２のＰＴＴスイッチからの入力信号とをそれぞれ独立して検出し、その区別を可能に構成した送信操作確認手段と、
前記送信操作確認手段により送信中と確認された前記第1又は第２のＰＴＴスイッチと異なる側の前記第1又は第２の操作キーに対してＤＴＭＦ信号の送信を禁止させる機能を有するＤＴＭＦキーロック手段と
を備えたことを特徴とする無線通信機。
【請求項２】
前記外部マイクロフォンの前記無線通信機本体への電気的接続の有無を検出して、ＤＴＭＦキーロック手段のオン、オフ操作を行うように構成したことを特徴とする請求項1記載の無線通信機。
【発明の詳細な説明】
【０００１】
【発明の属する技術分野】
本発明は、無線通信機に関するものである。
【０００２】
【従来の技術】
電話通信あるいは無線通信などにおいて使用されているＤＴＭＦ（二重トーンマルチ周波数；Ｄｕａｌ  Ｔｏｎｅ  Ｍｕｌｔｉ  Ｆｒｅｑｕｅｎｃｙ）信号方式は、次のように構成されている。
【０００３】
このＤＴＭＦ信号方式は、低い周波数のグループ（低群）と高い周波数のグループ(高群）の２つのトーンを同時に送出するように構成した音声周波帯域信号方式である。これらの低い周波数及び高い周波数のグループのそれぞれは、どの２つも調音の関係にない４つの音声周波帯域周波数のトーンから成り立っている。
【０００４】
このＤＴＭＦ信号では、低群の４つの周波数は、例えば、６９７Ｈｚ、７７０Ｈｚ、８５２Ｈｚ、９４１Ｈｚとされ、高群の４つの周波数は、１２０９Ｈｚ、１３３６Ｈｚ、１４７７Ｈｚ、１６３３Ｈｚとされている。そして、これらの低群と高群中のそれぞれ1周波数ずつを組み合わせ、その組み合わせからなるＤＴＭＦ信号を、例えば、操作キーの各キーの「０」〜「９」の数字や「＊」や「♯」の記号等に対して割り付け、それぞれの機能信号が対応される。
【０００５】
上記のような２つの周波数の組み合わせと送出条件とによって、ＤＴＭＦ信号は自然界ではめったに発生しないものとなり、人の声などのような自然音と明確に区別することができるので、無線通信機などの通常の音声周波数信号に多重にして送信することができ、受信側の分離も比較的容易である。
【０００６】
図３は、上述したＤＴＭＦ信号を送受信することができるように構成した従来の無線通信機である。この無線通信機は、アンテナ３と、送受信回路２６と、周波数等を表示する表示部２７と、キー操作に基づき制御信号を生成する操作キー４と、マイクロフォン１３からの音声信号の送出を禁止するマイクロフォン信号ミュートスイッチ２３と、それらを制御するマイクロコンピュータ（以下ＣＰＵという）２５を備えた無線通信機本体２と、この無線通信機本体２と電気的に接続される外部マイクロフォン１とで構成している。さらに、外部マイクロフォン１は、マイクロフォン１３と、ＰＴＴ（プュシュ・ツー・トーク；Ｐｕｓｈ  Ｔｏ  Ｔａｌｋ）スイッチ５とを備えている。
【０００７】
この図３に示す無線通信機は、ＰＴＴスイッチ５を押すことで、送信を行うことができる。この送信中において、操作キー４は、常にＣＰＵ２４によってチェックが行われている。したがって、このチェック動作により操作キー４のキーが押されたと判断した時は、その操作キー4がＤＴＭＦ信号を送出するためのキーとなり、操作キー４のキー操作に基づくコードのＤＴＭＦ信号を送出するように構成している。
【０００８】
上記のように構成した図３の無線通信機は、図４のフローチャートに示すように、ＰＴＴスイッチ５が押され送信中（ステップＳ２）は、ＣＰＵ２４が常に操作キー４のキーのチェック（ステップＳ５）を行い、操作キー４のキーが押されたと判断した時は、この操作キー４がＤＴＭＦ信号を送出するためのキーとなり（ステップＳ６）次いで、マイクロフォン信号ミュートスイッチ２３をオン（ステップＳ７）してマイクロフォン１３からの音声信号の送出を禁止するとともに、押された操作キー４のキーに対応するコードのＤＴＭＦ信号を送出（ステップＳ８）する。
【０００９】
また、図３に示すような従来の無線通信機には、キーロック機能を備えたものがある。このキーロック機能は、受信中における操作キー4の操作、例えば、周波数のダイレクト入力やトーン信号のオン、オフあるいは周波数シフトのオン、オフ等をロックするものであった。一方、送信中におけるＤＴＭＦ信号の送出に対してロックするような機能を備えたものはなかった。
【００１０】
【発明が解決しょうとする課題】
図３の従来の無線通信機にあっては、送信中に操作キー４が押されるとＤＴＭＦ信号が送出されると同時に、マイクロフォン１３からの音声信号をマイクロフォン信号ミュートスイッチ２３によって、送受信回路２６への入力を禁止する構成となっている。
【００１１】
したがって、ＤＴＭＦ信号送出中は、ＤＴＭＦ信号のみが送信され、マイクロフォン１３からの音声信号は送信されない。このため、相手側では、ＤＴＭＦ信号のみの受信となる。
【００１２】
このように構成されているため、例えば、無線通信機本体２をポケットやバッグ等に入れておき、外部マイクロフォン１のＰＴＴスイッチ５を押してマイクロフォン１３からの音声信号を送信している時に、無線通信機本体２の操作キー４のキーが何かに押され，誤操作状態になると、ＤＴＭＦ信号が送信を開始し、同時に通話が遮断され、相手側はＤＴＭＦ信号のみの受信となるという問題点があった。
【００１３】
また、従来実施されていた受信中のキーロック機能をオン状態にした時に、送信中の操作キーもキーロックすると、送信操作するたびに設定を変える必要があり、操作性が悪くなる等の理由により送信中のキーロックは行われていなかった。
【００１４】
本発明は、送信中に操作キーが誤って押されることによって起きる無用なＤＴＭＦ信号の送信を防止し、ＤＴＭＦ信号のみが相手側に送られ通話が遮断されるというような不具合が生じないようにした無線通信機を提供することを目的としている。
【００１５】
【課題を解決するための手段】
上記の目的を達成するために、本発明の無線通信機においては、マイクロフォンと第１のＰＴＴスイッチとキー操作に基づき制御信号を生成する第１の操作キーとを備えた外部マイクロフォンと、第２のＰＴＴスイッチとキー操作に基づき制御信号を生成する第２の操作キーと送信中における第1又は第２の操作キーのキー操作に基づきＤＴＭＦ信号を送出するDＴＭＦ信号生成手段とマイクロフォンからの音声信号の送出を禁止するマイクロフォン信号ミュートスイッチと、それらを制御するＣＰＵとを備え、外部マイクロフォンを電気的に接続するように構成した無線通信機本体とから成る無線通信機において、外部マイクロフォン側の第１のＰＴＴスイッチからの入力信号と無線通信機本体側の第２のＰＴＴスイッチからの入力信号とをそれぞれ独立して検出し、その区別を可能に構成した送信操作確認手段と、この送信操作確認手段により送信中と確認された第1又は第２のＰＴＴスイッチと異なる側の第1又は第２の操作キーに対してＤＴＭＦ信号の送信を禁止する機能を有するＤＴＭＦキーロック手段とを備えたものである。
【００１６】
また、外部マイクロフォンの無線通信機本体への電気的接続の有無を検出して、ＤＴＭＦキーロック手段のオン、オフ操作を行うように構成することもできる。
【００１７】
【発明の実施の形態】
発明の実施の形態を実施例にもとづき図面を参照して説明する。
図1において、１は外部マイクロフォンで、マイクロフォン１３と、第１のＰＴＴスイッチ１１と、キー操作に基づき制御信号を生成し無線通信機本体２のＣＰＵ２４へ供給する第１の操作キー１２とによって構成している。また、この外部マイクロフォンは、無線通信機本体２と電気的に接続して使用するように構成している。
【００１８】
図１の無線通信機本体２は、アンテナ３と、送受信回路２６と、周波数等を表示する表示手段２７と、第２のＰＴＴスイッチ２１と、キー操作に基づき制御信号を生成しＣＰＵ２４へ供給する第２の操作キー２２と、マイクロフォン１３からの音声信号の送出を禁止するマイクロフォン信号ミュートスイッチ２３と、ＤＴＭＦ信号の送出を禁止する機能を有するＤＴＭＦキーロック手段２５とを備えている。
【００１９】
また、ＣＰＵ２４は、第１のＰＴＴスイッチ１１からの入力信号と第２のＰＴＴスイッチ２１からの入力信号とを独立した各ポートへそれぞれ入力させ、チェック動作を行っている。このように、第1又は第２のＰＴＴスイッチ１１、２１からの入力信号を独立した各ポートへそれぞれ入力させることにより、ＣＰＵ２４において、外部マイクロフォン1側に設けた第１のＰＴＴスイッチ１１からの入力信号か、又は、無線通信機本体２側の第２のＰＴＴスイッチ２１からの入力信号かを確実に区別することができるように構成している。
【００２０】
次に、上述した図１の実施例の動作を図２に基づいて説明する。ＤＴＭＦキーロック手段２５をオンにした状態で、例えば、外部マイクロフォン１のＰＴＴスイッチ１１を押すと、送信中と認識（ステップＳ２）される。この時、第１の操作キー１２は、同じ外部マイクロフォン1側であると認識（ステップＳ３）され、ＣＰＵ２４によって常にキー入力の有無がチェック（ステップＳ５）される。
【００２１】
そして、この第１の操作キー１２のキーが押されていると判断した時は、送信中のキー操作であるためＤＴＭＦ信号送出用のキーとしての操作を可能とする（ステップＳ６）。また、マイクロフォン信号ミュートスイッチ２３は、送受信回路２６への音声信号の入力を禁止（ステップＳ７）し、第１の操作キー１１のキー操作に対応したコードのＤＴＭＦ信号を送出（ステップＳ８）することができる。
【００２２】
この時、もう一方の第２の操作キー２２は、キーを押してもＤＴＭＦ信号は送出されない。すなわち、この場合は、外部マイクロフォン１側の第１のＰＴＴスイッチ１１が押されているので、無線通信機本体２側の第２の操作キー２２は、異なると認識（ステップＳ３）され、オン状態となっているＤＴＭＦキーロック手段２５によって、ＤＴＭＦ用のキーとしての働きを禁止（ステップＳ４）され、ＤＴＭＦ信号は送出されない。
【００２３】
したがって、上述の実施例によれば、例えば、無線通信機本体２をポケットやバッグに入れ、外部マイクロフォン１のＰＴＴスイッチ１１を押してマイクロフォン１３からの音声信号を送信しているときに、無線通信機本体２側の第２の操作キー２２が誤って何かに押されたとしても、その第２の操作キー２２は、ＤＴＭＦキーロック手段２５のキーロック機能の働きによって、ＤＴＭＦ信号の送出が禁止されているため送信中の音声信号は、そのまま送信を継続することができ、相手側へキーの誤操作によるＤＴＭＦ信号の送信が行われるようなことはなくなる。
【００２４】
さらに、上述した実施例のＤＴＭＦキーロック手段２５を次のように構成することもできる。まず、外部マイクロフォン1の無線通信機本体２への電気的接続又は切り離しを検出し、この外部マイクロフォン１が無線通信機本体２へ電気的に接続された状態にある間は、ＤＴＭＦキーロック手段２５をオン状態とするように構成する。このことによって、外部マイクロフォン１の接続、切り離し動作に連動してＤＴＭＦキーロック手段２５をオン、オフを動作させることができ、その都度、ＤＴＭＦキーロック機能の設定を変更するわずらわしさがなくなり、操作性の向上を図ることができる。
【００２５】
【発明の効果】
本発明は、以上説明したように構成されているので、無線通信機本体をポケットやバッグ等に入れ、外部マイクロフォンで送信操作をしている時に、誤って無線通信機本体側の操作キー手段が押されても、そのキーの誤操作によるＤＴＭＦ信号が送出されるようなことがなく、外部マイクロフォン側の通話を継続させることができ、誤操作によるＤＴＭＦ信号のみの送信を阻止することができる。
【００２６】
また、誤操作が生じやすい、操作のされていない操作キーに対して確実にＤＴＭＦ信号キーロック機能が働くので、ＤＴＭＦ信号キーロックの状態をその都度確認する必要がなく、送信操作中のＰＴＴスイッチ側の操作キーをキー操作するだけで、ＤＴＭＦ信号を送出することができる。さらに、ＤＴＭＦキーロック機能の設定を変更することなく、外部マイクロフォン側又は無線通信機本体側からＤＴＭＦ信号を送出することができ、操作性の向上を図ることができる。
【図面の簡単な説明】
【図１】本発明の無線通信機の構成を示すブロック図である。
【図２】図1の動作を示すフローチャートである。
【図３】従来の無線通信機の構成を示すブロック図である。
【図４】図３の動作を示すフローチャートである。
【符号の説明】
１      外部マイクロフォン
１１    第１のＰＴＴスイッチ
１２    第１の操作キー
１３    マイクロフォン
２      無線通信機本体
２１    第２のＰＴＴスイッチ
２２    第２の操作キー
２３    マイクロフォン信号ミュートスイッチ
２４    マイクロコンピュータ（ＣＰＵ）
２５    ＤＴＭＦキーロック手段
２６    送受信回路
２７    表示装置
３      アンテナ
【図１】
0003765749.tif 000002
【図２】
0003765749.tif 000003
【図３】
0003765749.tif 000004
【図４】
0003765749.tif 000005